(57)【要約】【課題】信頼性が高く簡易な構成で個々の内容物の状態を判断できる保管庫を実現する。【解決手段】１または複数の食品２２それぞれに設けられ、当該食品の状態を示す値である状態値が閾値を上回ったこと、または下回ったことを判定する無線検知機２に対し、判定を指示し、判定結果を受信する読取部４と、読取部４が受信した判定結果を参照して、１または複数の食品２２それぞれの状態を判別する判定部５と、備えている。【選択図】図１
2014037894.tif 000002
【特許請求の範囲】
【請求項１】
１または複数の内容物を保管可能な保管庫において、
上記１または複数の内容物それぞれに設けられた判定手段であって、当該内容物の状態を示す値である状態値が閾値を上回ったこと、または下回ったことを判定する判定手段に対し、判定を指示する判定指示手段と、
上記判定手段の判定結果を受信する判定結果受信手段と、
上記判定結果受信手段が受信した判定結果を参照して、上記１または複数の内容物それぞれの状態を判別する状態判別手段と、
上記状態判別手段が判別した結果を提示する判別結果提示手段と、を備えていることを特徴とする保管庫。
【請求項２】
１または複数の内容物を保管可能な保管庫において、
上記１または複数の内容物それぞれに設けられた判定手段であって、当該内容物の状態を示す値である状態値が閾値を上回ったこと、または下回ったことを判定する判定手段に対し、判定を指示する判定指示手段と、
上記判定手段の判定結果を受信する判定結果受信手段と、
上記判定結果受信手段が受信した判定結果を参照して、上記１または複数の内容物それぞれの状態を判別する状態判別手段と、
外部装置と情報を送受信する外部送受信手段と、を備え、
上記判定指示手段は、上記外部送受信手段が上記外部装置から判定開始指示を受信したとき、上記判定手段に対し判定を指示し、
上記外部送受信手段は、上記状態判別手段が判別した結果を上記外部装置に送信することを特徴とする保管庫。
【請求項３】
内容物を出し入れするための扉を備え、
上記判定指示手段は、上記扉の開閉に連動して、上記判定手段に判定を指示することを特徴とする請求項１または２に記載の保管庫。
【請求項４】
上記判定手段と無線で情報を送受信する無線送受信手段を備え、
上記判定指示手段は、上記無線送受信手段を介して無線で、上記判定手段に対し判定を指示し、
上記判定結果受信手段は、上記無線送受信手段を介して無線で、上記判定手段から判定結果を受信することを特徴とする請求項１〜３のいずれか１項に記載の保管庫。
【請求項５】
上記無線送受信手段は、パッシブ型非接触認証タグと無線通信を行うことを特徴とする請求項４に記載の保管庫。
【請求項６】
保管している内容物を示す内容物データを記憶する記憶部を備え、
上記状態判別手段は、上記判定結果受信手段が受信した判定結果と上記内容物データとを比較して、内容物の状態を判別することを特徴とする請求項１〜５のいずれか１項に記載の保管庫。
【請求項７】
上記内容物は食品であり、
上記判定手段は、上記状態値を生菌の増殖度合により導出して、閾値を上回ったか、または下回ったかを判定することを特徴とする請求項１〜６のいずれか１項に記載の保管庫。
【請求項８】
１または複数の内容物を保管可能な保管システムにおいて、
上記１または複数の内容物それぞれに設けられた判定手段であって、当該内容物の状態を示す値である状態値が閾値を上回ったこと、または下回ったことを判定する判定手段と、
上記判定手段に、判定を指示する判定指示手段と、
上記判定手段の判定結果を受信する判定結果受信手段と、
上記判定結果受信手段が受信した判定結果を参照して、上記１または複数の内容物それぞれの状態を判別する状態判別手段と、
上記状態判別手段が判別した結果を提示する判別結果提示手段と、を備えていることを特徴とする保管システム。
【請求項９】
１または複数の内容物を保管可能な保管システムにおいて、
上記１または複数の内容物それぞれに設けられた判定手段であって、当該内容物の状態を示す値である状態値が閾値を上回ったこと、または下回ったことを判定する判定手段に対し、判定を指示する判定指示手段と、
上記判定手段の判定結果を受信する判定結果受信手段と、
上記判定結果受信手段が受信した判定結果を参照して、上記１または複数の内容物それぞれの状態を判別する状態判別手段と、
外部装置と情報を送受信する外部送受信手段と、を備え、
上記判定指示手段は、上記外部送受信手段が上記外部装置から判定開始指示を受信したとき、上記判定手段に対し判定を指示し、
上記外部送受信手段は、上記状態判別手段が判別した結果を上記外部装置に送信することを特徴とする保管システム。
【発明の詳細な説明】
【技術分野】
【０００１】
本発明は、物品を中に収めて保管する保管庫、および保管システムに関するものである。
【背景技術】
【０００２】
物品の保管、管理において、保管庫内の物品である内容物の状態を正確に把握することは重要である。しかしながら、内容物を１つ１つ確認することは、多くの手間と時間とがかかり、十分な管理が行き届かない場合も多い。
【０００３】
物品を保管する保管庫として例えば冷蔵庫が挙げられる。近年、冷凍技術と流通産業の発達により、より遠方の生鮮食品を消費者が購入する機会が増えており、このような生鮮食品は常温で保存することはできないため、冷蔵庫で保管することになる。
【０００４】
また、交通事情の発達により、消費者が遠方の販売店等で生鮮食品を購入する機会も増大している。このような食品も冷蔵庫で保存する必要がある。
【０００５】
しかしながら、冷蔵庫に保存していれば永久に保存可能となるわけではなく、長期間、保存された食品を食すことは、食中毒等のトラブルを起こす可能性があるため、保存状態を確認する必要がある。
【０００６】
また、冷蔵庫に保管している内容物を把握していないために、内容物の賞味期限が切れ、破棄せざるを得ないこともある。
【０００７】
そこで、特許文献１には、食品に無線タグを付して、当該食品が冷蔵庫の中にあるのか外にあるのかを把握し、冷蔵庫内および冷蔵庫外の温度と、食品の冷蔵庫内滞留時間および冷蔵庫外滞留時間とから、食品の賞味期限を管理する技術が開示されている。
【０００８】
また、特許文献２には、複数の部品を備えた情報処理装置に加速度センサを設け、振動レベルから、異音がしている部品を特定する情報処理装置が記載されている。
【先行技術文献】
【特許文献】
【０００９】
【特許文献１】特開２００６−３１７１０９号公報（２００６年１１月２４日公開）
【特許文献２】特開２００７−３１７３１９号公報（２００７年１２月６日公開）
【発明の概要】
【発明が解決しようとする課題】
【００１０】
しかしながら、上記特許文献１に記載された冷蔵庫では、庫内外の温度と庫内外滞留時間とから賞味期限を算出しており、冷蔵庫に入れる前の状態を考慮していないため、誤った結果が算出される可能性がある。例えば、食品を購入した場合、食品を購入した店から自宅の冷蔵庫に入れるまでの状況によって、食品の状態は変わってしまう。しかしながら、購入店から冷蔵庫に入れるまでの経過等が不明のため、冷蔵庫に入れる前の状態がわからず、上記特許文献１に記載された冷蔵庫では、誤った結果が算出される可能性がある。また、算出手段が複雑であるため、構成も複雑になってしまう。さらに、構成が複雑になる結果コストも高くなってしまう。
【００１１】
また、上記特許文献２に記載された情報処理装置では、異音発生箇所の特定を、加速度センサが検知した異音振動レベルと、データベースに記載された各部品の振動レベルとを比較することで行うため、同じ部品が存在した場合、部品の特定が難しくなる。
【００１２】
本発明は、上記の課題に鑑みてなされたものであって、その目的は、信頼性が高く簡易な構成で個々の内容物の状態を判断できる保管庫等を実現することにある。
【課題を解決するための手段】
【００１３】
上記課題を解決するために、本発明に係る保管庫は、１または複数の内容物を保管可能な保管庫において、上記１または複数の内容物それぞれに設けられた判別手段であって、当該内容物の状態を示す値である状態値が閾値を上回ったこと、または下回ったことを判定する判定手段に対し、判定を指示する判定指示手段と、上記判定手段の判定結果を受信する判定結果受信手段と、上記判定結果受信手段が受信した判定結果を参照して、上記１または複数の内容物それぞれの状態を判別する状態判別手段と、上記状態判別手段が判別した結果を提示する判別結果提示手段と、を備えていることを特徴としている。
【００１４】
上記の構成によれば、１または複数の内容物について、それぞれの内容物の状態値が、閾値を上回ったか否か、または下回ったか否かが、判定される。そして、判定結果から１または複数の内容物それぞれの状態が判別される。これにより、保管している内容物の状態について個別に認識することができるとともに、内容物それぞれについて判定しているので、高い信頼性で判定を行うことができる。さらに、状態判別手段は、信頼性の高い判定結果に基づいて個々の内容物の状態を判別しているので、状態の判別結果も信頼性の高いものとなる。また、判定手段は、状態値が閾値を上回った、または下回ったことを判定するのみの構成なので、簡易な構成で実現できる。
【００１５】
また、判別した結果を提示するので、ユーザに対し判別結果を認識させることができる。
【００１６】
例えば、劣化すると状態値が閾値を超える内容物を大量に保管する保管庫で、保管庫内の１つの内容物が劣化した場合、当該内容物に設けられた判定手段は、当該内容物の状態値が閾値を超えたことを判定するので、当該判定手段の判定結果を用いて状態の判別を行う状態判別手段は、保管されている内容物のうち、どの内容物が劣化したかのかを容易、かつ適切に判別することができる。
【００１７】
上記課題を解決するために、本発明に係る保管庫は、１または複数の内容物を保管可能な保管庫において、上記１または複数の内容物それぞれに設けられた判定手段であって、当該内容物の状態を示す値である状態値が閾値を上回ったこと、または下回ったことを判定する判定手段に対し、判定を指示する判定指示手段と、上記判定手段の判定結果を受信する判定結果受信手段と、上記判定結果受信手段が受信した判定結果を参照して、上記１または複数の内容物それぞれの状態を判別する状態判別手段と、外部装置と情報を送受信する外部送受信手段を備え、上記判定指示手段は、上記外部送受信手段が上記外部装置から判定開始指示を受信したとき、上記判定手段に対し判定を指示し、上記外部送受信手段は、上記状態判別手段が判別した結果を上記外部装置に送信することを特徴としている。
【００１８】
上記の構成によれば、外部装置から判定開始指示を受信し、該外部装置に判別結果を送信する。これにより、保管庫から離れた場所に外部装置があっても、該外部装置に判別結果を認識させることができる。よって、保管庫から離れた場所においても、保管庫に格納されている内容物の種類および状態を認識することができる。
【００１９】
本発明に係る保管庫では、内容物を出し入れするための扉を備え、上記判定指示手段は、上記扉の開閉に連動して、上記判定手段に判定を指示するものであってもよい。
【００２０】
上記の構成によれば、扉が開いたとき、または閉じたときに内容物の状態を判別する。これにより、内容物が使用されるとき、または移動されるときなどに、内容物の状態を判別するので、適切なタイミングで内容物の状態を判別することができる。
【００２１】
本発明に係る保管庫では、上記判定手段と無線で情報を送受信する無線送受信手段を備え、上記判定指示手段は、上記無線送受信手段を介して無線で、上記判定手段に対し判定を指示し、上記判定結果受信手段は、上記無線送受信手段を介して無線で、上記判定手段から判定結果を受信するものであってもよい。
【００２２】
上記の構成によれば、判定指示手段および判定結果受信手段は、判定手段と無線で情報の送受信をすることができる。これにより、配線を用いることなく情報を送受信することができるので、判定指示手段および判定結果受信手段の配置位置の自由度を高めることができる。
【００２３】
本発明に係る保管庫では、上記無線送受信手段は、パッシブ型非接触認証タグと無線通信を行うものであってもよい。
【００２４】
上記の構成によれば、パッシブ型非接触認証タグが用いられるので、判定手段が電源を有していなくても、情報の送受信を行うことができる。
【００２５】
本発明に係る保管庫では、保管している内容物を示す内容物データを記憶する記憶部を備え、上記状態判別手段は、上記判定結果受信手段が受信した判定結果と上記内容物データとを比較して、内容物の状態を判別するものであってもよい。
【００２６】
上記の構成によれば、記憶された内容物データと受信した判定結果とを比較して、各内容物の状態を判別するので、内容物の状態を容易に判別することができる。
【００２７】
本発明に係る保管庫では、上記内容物は食品であり、上位判定手段は、上記状態値を生菌の増殖度合により導出して、閾値を上回ったか、または下回ったかを判定するものであってもよい。
【００２８】
上記の構成によれば、保管庫に保管されている食品の状態を、適切かつ容易に認識することができる。
【００２９】
上記課題を解決するために、本発明に係る保管システムでは、１または複数の内容物を保管可能な保管システムにおいて、上記１または複数の内容物それぞれに設けられた判定手段であって、当該内容物の状態を示す値である状態値が閾値を上回ったこと、または下回ったことを判定する判定手段と、上記判定手段に、判定を指示する判定指示手段と、上記判定手段の判定結果を受信する判定結果受信手段と、上記判定結果受信手段が受信した判定結果を参照して、上記１または複数の内容物それぞれの状態を判別する状態判別手段と、上記状態判別手段が判別した結果を提示する判別結果提示手段と、を備えていることを特徴としている。
【００３０】
上記の構成によれば、１または複数の内容物について、それぞれの内容物の状態値が、閾値を上回ったか否か、または下回ったか否かが、判定される。そして、判定結果から１または複数の内容物それぞれの状態が判別される。これにより、保管している内容物の状態について個別に認識することができるとともに、内容物それぞれについて判定しているので、高い信頼性で判定を行うことができる。さらに、状態判別手段は、信頼性の高い判定結果に基づいて個々の内容物の状態を判別しているので、状態の判別結果も信頼性の高いものとなる。また、判定手段は、状態値が閾値を上回った、または下回ったことを判定するのみの構成なので、簡易な構成で実現できる。
【００３１】
また、判別した結果を提示するので、ユーザに対し判別結果を認識させることができる。
【００３２】
例えば、劣化すると状態値が閾値を超える内容物を大量に保管する保管庫で、保管庫内の１つの内容物が劣化した場合、当該内容物に設けられた判定手段は、当該内容物の状態値が閾値を超えたことを判定するので、当該判定手段の判定結果を用いて状態の判別を行う状態判別手段は、保管されている内容物のうち、どの内容物が劣化したかのかを容易、かつ適切に判別することができる。
【００３３】
上記課題を解決するために、本発明に係る保管システムでは、１または複数の内容物を保管可能な保管システムにおいて、上記１または複数の内容物それぞれに設けられた判定手段であって、当該内容物の状態を示す値である状態値が閾値を上回ったこと、または下回ったことを判定する判定手段に対し、判定を指示する判定指示手段と、上記判定手段の判定結果を受信する判定結果受信手段と、上記判定結果受信手段が受信した判定結果を参照して、上記１または複数の内容物それぞれの状態を判別する状態判別手段と、外部装置と情報を送受信する外部送受信手段と、を備え、上記判定指示手段は、上記外部送受信手段が上記外部装置から判定開始指示を受信したとき、上記判定手段に対し判定を指示し、上記外部送受信手段は、上記状態判別手段が判別した結果を上記外部装置に送信することを特徴としている。
【００３４】
上記の構成によれば、外部装置から判定開始指示を受信し、該外部装置に判別結果を送信する。これにより、保管庫から離れた場所に外部装置があっても、該外部装置に判別結果を認識させることができる。よって、保管庫から離れた場所においても、保管庫に格納されている内容物の種類および状態を認識することができる。
【発明の効果】
【００３５】
以上のように、本発明に係る保管庫は、１または複数の内容物それぞれに設けられた判定手段であって、当該内容物の状態を示す値である状態値が閾値を上回ったこと、または下回ったことを判定する判定手段に対し、判定を指示する判定指示手段と、上記判定手段の判定結果を受信する判定結果受信手段と、上記判定結果受信手段が受信した判定結果を参照して、上記１または複数の内容物それぞれの状態を判別する状態判別手段と、上記状態判別手段が判別した結果を提示する判別結果提示手段と、を備えている構成である。
【００３６】
また、本発明に係る保管システムでは、１または複数の内容物それぞれに設けられた判定手段であって、当該内容物の状態を示す値である状態値が閾値を上回ったこと、または下回ったことを判定する判定手段と、上記判定手段に、判定を指示する判定指示手段と、上記判定手段の判定結果を受信する判定結果受信手段と、上記判定結果受信手段が受信した判定結果を参照して、上記１または複数の内容物それぞれの状態を判別する状態判別手段と、上記状態判別手段が判別した結果を提示する判別結果提示手段と、を備えている構成である。
【００３７】
これにより、保管している内容物の状態について個別に認識することができるとともに、内容物それぞれについて判定しているので高い信頼性で判定を行うことができるという効果を奏する。さらに、状態判別手段は、信頼性の高い判定結果に基づいて個々の内容物の状態を判別しているので、状態の判別結果も信頼性の高いものとなる。また、判定手段は、状態値が閾値を上回った、または下回ったことを判定するのみの構成なので、簡易な構成で実現できるという効果を奏する。
【００３８】
また、判別した結果を提示するので、ユーザに対し判別結果を認識させることができるという効果を奏する。
【図面の簡単な説明】
【００３９】
【図１】本発明の実施の形態を示す保管システムの要部構成を示すブロック図である。
【図２】上記保管庫を示す図であり、（ａ）は保管庫の外観および内部構成を示す斜視図であり、（ｂ）は内部構造をＡの方向から見た図である。
【図３】上記保管庫を示す斜視図である。
【図４】食品に貼付された表示ラベルを示す斜視図である。
【図５】表示ラベルを示す図であり、（ａ）は表示ラベルの上面図であり、（ｂ）は上記表示ラベルのｅ−ｅ断面拡大図である。
【図６】上記保管システムにおける処理の流れを示すフローチャートである。
【発明を実施するための形態】
【００４０】
本発明の実施の一形態について図１〜図６に基づいて説明すれば以下のとおりである。本実施の形態に係る保管システムは、保管庫１と、保管庫１に格納されている食品に貼付される無線検知機（判定手段）２（２ａ〜２ｇ）と、保管庫１に読取指示を送信し、保管庫１からの判定結果を受信する携帯端末（外部装置）４０とから構成されている。
【００４１】
なお、本実施の形態では、携帯端末４０から指示を受け付けて判定を行い、判定結果を携帯端末４０に送信する構成として記載しているが、携帯端末４０は必須の構成ではない。保管庫１自身で、判定を開始し判定結果を表示部（提示手段：図示せず）に表示する構成であってもよい。また、表示部ではなく、判定結果を音声等で通知するスピーカー等を備えていてもよい。
【００４２】
また、本実施の形態では、保管庫１として食品等を格納する冷蔵庫を例に説明するが、保管庫１はこれに限られない。例えば、１または複数のバッテリを格納できる保管庫であってもよい。
【００４３】
（保管システム）
本発明の実施の一形態である保管システムの構成について、図１を参照して説明する。図１は保管システムの概略構成を示すブロック図である。図１に示すように、本実施の形態に係る保管庫１は、送受信部（無線送受信手段）２３、制御部１１、外部送受信部（外部送受信手段）６、および記憶部７を含む構成である。また、保管庫１に格納している食品２２（２２ａ〜２２ｇ）それぞれに無線検知機２（２ａ〜２ｇ）が貼付されている。なお、食品２２ａ〜２２ｇおよび無線検知機２ａ〜２ｇは複数存在しているが、それぞれを区別する必要がない場合は、単に食品２２、無線検知機２と呼称する。
【００４４】
制御部１１は、保管庫１に格納している食品２２の状態を判定するものであり、読取部（判定指示手段、判定結果受信手段）４および判定部（状態判別手段）５を含む構成である。
【００４５】
読取部４は、外部送受信部６から読取指示を受けると送受信部２３を介して無線検知機２（２ａ〜２ｇ）に対して電波を発信し、無線検知機２からの信号を読み取るものである。そして、読み取った結果である読取結果を判定部５に通知する。読取部４としては、例えば、無線検知機２ａ〜２ｇがＲＦＩＤ（Radio Frequency Identification）（パッシブ型非接触認証タグ）であれば、ＲＦＩＤ読取装置とすることができる。なお、読取部４は、無線検知機２からの信号を読み取ることができればよく、ＲＦＩＤ読取装置に限定されるものではない。
【００４６】
判定部５は、読取部４から受け取った読取結果を記憶部７に記憶されている内容物データ１０と比較することにより、食品２２の状態を判定し、判定結果を外部送受信部６の判定結果送信部１４に通知する。
【００４７】
より詳細には、判定部５は、読取部４から受け取った判定結果に含まれている食品と、内容物データ１０に示されている食品とを比較し、内容物データ１０に含まれているにもかかわらず、読取部４から受け取った判定結果に含まれていない食品については、賞味期限切れの食品と判定する。一方、内容物データ１０にも読取部４から受け取った判定結果にも含まれている食品については、賞味期限内の食品と判定する。
【００４８】
外部送受信部６は、指示受付部１３と判定結果送信部１４と含む構成である。指示受付部１３は、携帯端末４０から読取指示を受信し、受信した読取指示を読取部１１に送る。判定結果送信部１４は、判定部１２から受信した判定結果を、携帯端末４０に送信する。
【００４９】
記憶部７は、内容物データ１０を格納している。内容物データ１０は、保管庫１に格納されている食品２２の内容を示すデータである。
【００５０】
携帯端末４０は、保管庫１に対し、読取指示を送信し、判定結果を受け取ることにより、保管庫１に格納されている食品２２の内容、および状態を把握できるものである。
【００５１】
（保管庫１）
次に、本発明の実施の一形態である保管庫１について、図２、３を参照して説明する。図２（ａ）は、保管庫１の外観および内部構成を示す斜視図であり、図２（ｂ）は、保管庫１の内部をＡの方向から見たときの内部構造の拡大図である。また、図３は、保管庫１と携帯端末４０との通信を示す斜視図である。
【００５２】
保管庫１は、食品２２等を格納する冷蔵庫であり、冷蔵庫としての基本構造に加え、以下の構造物が設けられている。図２に示すように、保管庫１内の食品棚３１の下面には、無線検知機２ａ〜２ｇと通信するための送受信部（アンテナ）２３が設けられている。
【００５３】
また、図２（ａ）、図３に示すように、保管庫１の背面部３２には、送受信部２３を介して無線検知機２ａ〜２ｇとの無線通信を行う読取部４と、読取部４の読取結果に基づき食品２２の状態を判定する判定部５と、携帯端末４０からの読取指示を受信し、判定結果を携帯端末４０に送信する外部送受信部６とが設けられている。
【００５４】
なお、送受信部２３の設置場所は、食品棚３１の下面に限られるものではなく、無線検知機２と通信可能な位置であれば、特に制限されない。また、読取部４、判定部５、外部送受信部６の設置場所は保管庫１の背面部３２に限られず、冷蔵庫の機能を害さない位置であればどの位置に設置してもよい。
【００５５】
（無線検知機２）
次に、無線検知機２について図４、５を参照して説明する。図４は、賞味期限表示ラベル６０が貼付された食品２２の斜視図である。また、図５（ａ）は賞味期限表示ラベル６０の上面図であり、図５（ｂ）は無線通信制御部８０をｅ−ｅ断面で切断した断面拡大図である。
【００５６】
図４、５に示すように、無線検知機２は、食品２２に貼付されている賞味期限表示ラベル６０上に設けられている。無線検知機２は、送受信部７０と、無線通信制御部８０とが設けられた構成である。送受信部７０はアンテナ３とＩＣ部７３とを含む。アンテナ７１は、二酸化炭素によって腐食断線する材料で構成されていれば良く、例えば炭素鋼や低合金鋼で構成されている。
【００５７】
無線通信制御部８０は、封止袋８２を備えており、封止袋の内部に、生菌収容部８１および培地８３が収容されている。生菌収容部８１には、増殖相関生菌が収容されている。ここで、「増殖相関生菌」とは、環境に応じた増殖速度について、商品に予め又は将来的に含まれる可能性がある生菌と互いに相関のある生菌である。
【００５８】
また、培地８３は、その環境が食品の初期の保存環境に合わせて収容されている。ここで、「初期の保存環境」とは、例えば、食品が製造（該食品に賞味期限表示ラベル６０が貼付）された時点での保存環境である。
【００５９】
封止袋８２は、外部に増殖相関生菌が付着することを防止できるように内封する増殖相関生菌の漏洩を防止できる材料から構成することが好ましい。
【００６０】
また、食品の包装には、側品放送用のポリオレフィン系ストレッチフィルムなどが用いられているので、封止袋８２の構成材料は、上記ポリオレフィン系ストレッチフィルムなどを用いることが好ましい。但し、封止袋８２の全体をポリオレフィン系ストレッチフィルムなどで構成する必要は無く、封止袋８２の一部をアルミ袋〔材質：ＰＥＴ１６／ドライ／ＣＰ蒸着４０（ＦＫＡ）〕などとしてもよい。
【００６１】
（無線検知機２の動作）
次に、無線検知機２の動作について説明する。賞味期限表示ラベル６０は、食品が製造（該商品に賞味期限表示ラベル６０が貼付）された時点で、培地８３の増殖相関生菌を受け取る側の端部に増殖相関生菌が付着することにより、培地２３の上記端部（点Ａ）からもう一方の端部（賞味期限表示ラベル６０の送受信部７０側の端部）に向けて増殖相関生菌の増殖が始まる。
【００６２】
増殖相関性生菌が点Ｂまで到達していない場合、無線検知機２は、アンテナ３で送受信部４からの電波を受けて起電し、ＩＣ部７３を動作させる。ＩＣ部７３は、食品種別情報をアンテナ３に送り、アンテナ３は、受け取った無線検知機２の食品種別情報を、アンテナ２３を介して送受信部４に送信する。これにより、食品種別情報を受信した判定部５は、当該食品が賞味期限切れでないことを認識できる。
【００６３】
食品の保管中に、増殖相関生菌が増殖し点Ｂに到達すると、無線通信制御部８０が増殖性生菌の増殖により発生する二酸化炭素と反応し、送受信部７０におけるアンテナ３が腐食断線する。これにより、無線検知機２は送受信部４に食品種別情報を送信できなくなる。これにより、判定部５は食品種別情報を受信できなくなり、当該食品が賞味期限切れであることを認識できる。
【００６４】
以上のように、無線検知機２は、非常に簡易な構成で、増殖相関性細菌の増殖度合を判定することができる。そして、増殖相関性細菌と食品２２の状態とは、互いに相関しているので、無線検知機２は、食品２２の状態を容易な構成で正確に判定することができる。
【００６５】
（保管システムにおける動作の流れ）
次に、本実施の形態に係る保管システムの動作について、図６を参照して説明する。図６は、保管システムにおける動作の流れを示すフローチャートである。
【００６６】
まず、保管庫１の中で１つ以上の新たな食品２２が保管開始される（ステップＳ３０１、これ以降ではＳ３０１のように称する）と、制御部１１は、記憶部７の内容物データ１０を更新する。なお、内容物データ１０は、例えば、食品２２に取り付けられた無線検知機２の食品種別情報を読み取ることで更新してもよいし、ユーザの入力によって携帯端末４０などから更新されてもよい。
【００６７】
次に、携帯端末４０から読取指示が送信される（Ｓ３０２）と、情報処理装置１の指示受付部１３が読取指示を受信する（Ｓ３０３）。指示受付部１３によって受信された読取指示は、読取部４に送られ、読取部４は無線検知機２に電波を送り、返ってきた読取結果、すなわち返ってきた食品種別情報を判定部５に送る（Ｓ３０４）。
【００６８】
判定部１２は、読取結果内の食品種別情報と記憶部７の内容物データ１０内の食品種別情報とを比較し、冷蔵庫２１内の食品すべてについて、賞味期限内か否かの判定をする（Ｓ３０５）。判定結果は、判定結果送信部１４に送る。
【００６９】
判定結果送信部１４は、判定結果を携帯端末４０に送信する（Ｓ３０６）。携帯端末４０は、判定結果を受信する（Ｓ３０７）と、判定結果を携帯端末４０の表示部（不図示）に表示する（Ｓ３０８）。
【００７０】
以上のように、食品２２の賞味期限が切れると、送受信部４が食品識別情報を読取ることができなくなる。判定部は読取結果内と内容物データ１０内の食品種別情報を比較し、読取結果内の食品種別情報に無い食品を賞味期限切れと判定する。これにより、非常に簡易な構成で保管庫１内の食品２２が賞味期限内であるか否かをユーザに通知することができる。なお、ＩＣ部７３とアンテナ３は物理的に切断されるので、再接続されることはない。
【００７１】
また、読取指示の情報は、携帯端末４０から送信されるものでなくてもよく、本体に設けられたスイッチ、もしくはコンピュータなどの他の電子機器からでもよい。さらに、保管庫１に表示部を設け、携帯端末４０に表示される情報が、当該表示部に表示されてもよい。
【００７２】
また、読取指示は、保管庫１の扉の開閉に連動して行われてもよい。これにより、ユーザが庫内の食品を使用するときなど、適切なタイミングで、賞味期限切れの食品をユーザに提示することができる。
【００７３】
以上のように、本発明に係る保管庫１は、１または複数の食品２２を保管可能な保管庫１であって、上記１または複数の食品２２それぞれに設けられ、当該食品の状態を示す値である状態値が閾値を上回ったこと、または下回ったことを判定する無線検知機２に対し、判定を指示し、無線検知機２の判定結果を受信する読取部４と、読取部４が受信した判定結果を参照して、上記１または複数の食品２２それぞれの状態を判別する判定部５と、備えている。
【００７４】
本発明は上述した実施の形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００７５】
本発明に係る保管システムは、保管されている内容物の状態を確認可能な保管庫に好適である。例えば、食品を保管している冷蔵庫に適用することができる。
【符号の説明】
【００７６】
１    保管庫
２、２ａ〜２ｇ    無線検知機（判定手段）
３、３ａ、３ｂ、３ｇ  アンテナ
４    読取部（判定指示手段、判定結果受信手段）
５    判定部（状態判別手段）
６    外部送受信部（外部送受信手段）
７    記憶部
１０    内容物データ
１１    制御部
１３    指示受付部
１４    判定結果送信部
２２、２２ａ〜２２ｇ  食品
２３    送受信部（無線送受信手段）
４０    携帯端末（外部装置）
【図１】
2014037894.tif 000003
【図２】
2014037894.tif 000004
【図３】
2014037894.tif 000005
【図４】
2014037894.tif 000006
【図５】
2014037894.tif 000007
【図６】
2014037894.tif 000008